(57)【要約】【課題】高い精度で所望の情報が配信されたことの告知をリアルタイムで送信し取得する。【解決手段】複数の情報メディアが配信する公開情報からクライアントが希望する特定の公開情報を取得して、前記クライアントに前記公開情報が配信されたことをリアルタイムで送信する。クライアントが所望する公開情報を特定するための特定用情報を取得し、複数の情報メディアから、公開情報に関する音声情報、文字情報、画像情報の少なくとも１つを含む配信情報を取得し、記取得した配信情報の音声情報、文字情報、画像情報を解析して当該配信情報についてのテキスト情報を生成し、テキスト情報から前記特定用情報に基づいて前記クライアントが所望する公開情報のテキスト情報を抽出し、所望する公開情報が配信された旨の告知を前記クライアントに送信する。【選択図】図１
2020106988.tif 000002
【特許請求の範囲】
【請求項１】
複数の情報メディアが配信する公開情報からクライアントが希望する特定の公開情報を取得して、前記クライアントに前記公開情報が配信されたことをリアルタイムで送信する公開情報の配信告知方法であって、
前記クライアントが所望する公開情報を特定するための特定用情報を取得するステップと、
複数の情報メディアから、前記公開情報に関する音声情報、文字情報、画像情報の少なくとも１つを含む配信情報を取得するステップと、
前記取得した配信情報の音声情報、文字情報、画像情報を解析して当該配信情報についてのテキスト情報を生成するステップと、
前記テキスト情報から前記特定用情報に基づいて前記クライアントが所望する公開情報のテキスト情報を抽出するステップと、
所望する公開情報が配信された旨の告知を前記クライアントに送信するステップと、
を備えることを特徴とする公開情報の配信告知方法。
【請求項２】
前記情報メディアが、テレビ放送、ラジオ放送、インターネット放送、インターネット配信動画、インターネットウェブサイト記事のうちの少なくとも１つを含むことを特徴とする請求項１に記載の公開情報の配信告知方法。
【請求項３】
前記テキスト情報の生成に際しては、
蓄積された過去の公開情報と、蓄積された過去のテキスト情報とを教材として学習した最適なテキスト情報生成のための設定に基づいてテキスト情報の生成を行うことを特徴とする請求項１に記載の公開情報の配信告知方法。
【請求項４】
前記テキスト情報を要約するステップと、この要約又はテキスト情報を前記クライアントに送出するステップとを含み、テキスト情報を要約するに際しては、蓄積された過去のテキスト情報と、蓄積された過去の要約とを教材として学習した最適な要約生成のための設定を行うことを特徴とする請求項１に記載の公開情報の配信告知方法。
【請求項５】
配信された公開情報の重要度を判定するステップを備え、
前記クライアントに前記重要度についての情報を含んだ告知を送信することを特徴とする請求項１に記載の公開情報の配信告知方法。
【請求項６】
抽出した公開情報の抽出情報を検索可能に格納しておくステップを備えることを特徴とする請求項１に記載の公開情報の配信告知方法。
【請求項７】
複数の情報メディアが配信する公開情報からクライアントが希望する特定の公開情報を取得して、前記クライアントに前記公開情報が配信されたことをリアルタイムで送信するサーバ装置であって、
前記クライアントが所望する公開情報を特定するための特定用情報を取得する手段と、
複数の情報メディアから、前記公開情報に関する音声情報、文字情報、画像情報の少なくとも１つを取得する手段と、
前記取得した配信情報の音声情報、文字情報、画像情報を解析して当該配信情報についてのテキスト情報を生成する手段と、
前記テキスト情報から前記特定用情報に基づいて前記クライアントが所望する公開情報のテキスト情報を抽出する手段と、
所望する公開情報が配信されたことを前記クライアントに送信する手段と、
を備えることを特徴とするサーバ装置。
【請求項８】
テレビ放送、ラジオ放送、インターネット放送、インターネット配信動画、インターネットウェブサイト記事のうちの少なくとも１つの情報を取得する手段を備えることを特徴とする請求項５に記載のサーバ装置。
【請求項９】
蓄積された過去の公開情報と、蓄積された過去のテキスト情報とを教材として学習した最適なテキスト情報生成のための設定を行う手段を備えることを特徴とする請求項５に記載のサーバ装置。
【請求項１０】
前記テキスト情報を要約する手段と、この要約又は前記テキスト情報を前記クライアントに送出する手段とを含み、テキスト情報を要約するに際しては、蓄積された過去のテキスト情報と、蓄積された過去の要約とを教材として学習した最適な要約生成のための設定を行うことを特徴とする請求項５に記載のサーバ装置。
【請求項１１】
配信された公開情報の重要度を判定する手段を備え、
前記クライアントに前記重要度についての情報を含んだ告知を送信することを特徴とする請求項７に記載のサーバ装置。
【請求項１２】
抽出した公開情報についての情報を検索可能に格納しておく手段を備えることを特徴とする請求項７に記載のサーバ装置。
【請求項１３】
請求項７から請求項１１のいずれかに記載のサーバ装置と、このサーバ装置から所望する公開情報が配信された旨の告知、前記告知と前記テキスト情報、及び前記告知と前記要約、のいずれかを受信する端末装置とを備えることを特徴とする公開情報の配信告知システム。
【請求項１４】
請求項７から請求項１１のいずれかに記載のサーバ装置と、このサーバ装置に特定用情報を送出する端末装置とを備えることを特徴とする公開情報の配信告知システム。
【発明の詳細な説明】
【技術分野】
【０００１】
本発明は、クライアントに特定の情報配信があったことをいち早く通知する公開情報の配信告知方法、サーバ装置、公開情報の配信告知システムに関する。
【背景技術】
【０００２】
今日、各種メディアからさまざまなニュース等の公開情報が配信されている。公開情報が配信されるメディアとしては、テレビ、ラジオ、インターネット上のウェブサイト等多岐にわたる。
【０００３】
企業等の組織や個人にあっては、特定のテーマについてのニュース等の情報をいち早く知りたいという要望がある。例えば企業にあっては、自社や自社製品、ライバル会社やライバル会社の製品がニュースに取り上げられたとき迅速にそのことを知り、今後の対策や方針を定めることができる。
【０００４】
従来、テレビについては放送内容をテキスト化して配信するサービスが提供されている。企業等のクライアントは当該企業と契約をして必要なニュースが配信されたことを知ることができる。また、ウェブサイトから必要とする情報を取得する場合には、インターネットにコンピュータを接続し、当該コンピュータにインストールしたインターネットブラウザソフトを用いて「Ｇｏｏｇｌｅ（登録商標）」に代表される検索サイトに接続し、この検索サイトの検索欄にキーワードを入力して検索を行い、次いで、当該キーワードから抽出され、一覧表示された多数のウェブサイトから１つのウェブサイトを選択して当該ウェブサイトを閲覧して必要な情報を取得する。この操作を必要に応じて繰り返し、必要とする情報を取得する。
【０００５】
しかし、このような手法では、リアルタイムで情報を取得することができない。テレビ番組をテキスト化する等して配信されるまでには時間がかかるし、インターネットを検索して特定のニュースを抽出することも時間と手間がかかる。情報、例えば特定の企業に関するトピック、ニュース等の情報を検索するとき、上述した検索サイトでのキーワード検索では、目的とする情報を取得することができない「検索漏れ」が生じたり、目的とする情報とは異なる情報である「ノイズ」を多く抽出してしまったりする。
【０００６】
そこで、検索サイトの多くは、インターネット上のウェブサイトを自動的に巡回してデータを収集する、いわゆるロボット型サーチエンジンで収集した情報を対象とするためである。ロボット型サーチエンジンは、機械的に世界中のサイトの情報を取得しているため検索対象となる情報が極めて多く単なるキーワード検索では検索漏れ、あるいは不要な情報が抽出されることによる。また、ロボット型サーチエンジンでは、ウェブサイトの深い階層のページから情報を取得できていない可能性があり、この場合も検索漏れが発生する。
【０００７】
このため、情報検索に際しては、単なるキーワード検索ではなく、キーワードの組み合わせ等、複雑な設定をする必要がある。この結果、キーワードの設定のいかんによりその検索精度が大きく異なることとなる。また、サイトマップに沿って閲覧するか、情報の配置箇所を的確に掌握して閲覧しなければ、検索漏れを防止できない他、精度が低くなり、すべてのウェブサイトについてこの操作を実際に実行することは難しい。
【０００８】
また、テレビ放送の内容の要約をテキスト化して配信するシステムも提供されているが、自己の欲する情報をリアルタイムに取得することは難しい。
【０００９】
このような事情にかんがみ、特にインターネット上のウェブサイトにおけるニュース検索について従来さまざまな提案がなされている。
【００１０】
特許文献１には、指定されたホームページの複数階層にわたって文字データをダウンロードし、そのダウンロードした文字データファイルについて予め設定されたキーワードによる検索を行い、前記文字データファイルの日付が既登録データと照合して不一致の場合に、キーワード検索でヒットしたホームページ全体をダウンロードし、ダウンロードしたホームページの変更内容について、関係ユーザーにメールにて通知する。また、キーワードがヒットしたホームページについて、ヘッドラインを編集しニュースとして配信するウェブ情報収集装置が記載されている。
【００１１】
また、特許文献２には、情報提供サーバのトピックス情報収集手段はニュースサイトからニュース記事を収集し、論評情報収集手段はブログ運営サーバからブログコンテンツを収集し、トピックス情報探索手段は、収集したニュース記事の中から、ユーザーから取得した探索キーワードに適合するニュース記事を探索し、情報配信手段は、探索結果として、探索したニュース記事に関連するブログコンテンツを抽出し、抽出したブログコンテンツが、探索したニュース記事ごとに分類されて表示される探索結果情報を生成し、ユーザーＰＣに配信する情報配信方法が記載されている。
【先行技術文献】
【特許文献】
【００１２】
【特許文献１】特開２００５−３１８６７号公報
【特許文献２】特開２００６−３０９５１５号公報
【発明の概要】
【発明が解決しようとする課題】
【００１３】
上述のように、企業等の組織にとって、自己や自己の製品がニュースで取り上げられることに大きな意味がある。これは、自社や製品が好意的に取り上げられることで大きな広告価値や広報価値が生じ、売り上げの向上が期待でき、自社や製品のイメージを向上させ、認知度や好感度を向上させるためである。
【００１４】
一方、自社や自社の製品が悪く取り上げられると、製品の売り上げの減少や、会社や製品のイメージの低下を招く。このような場合、的確な対応をとらなければ、企業等は、大きな、場合によっては致命的な損失を受けることがある。
【００１５】
このような企業や製品に関するニュースは、大手新聞社、地方新聞社、ニュース配信会社、テレビ会社、ラジオ番組の他、ニュース専門サイト、ニュースまとめサイト、その他のサイトに掲載される。このようなさまざまなメディアやサイトから網羅的に、自社ないしは自社製品に関するニュースを正確且つ迅速に取得することは、従来の検索サイトを使用したキーワード検索では困難である。
【００１６】
なお、特許文献１に記載のものは、指定されたホームページについての詳細な検索を行うことができるものの、ウェブ上に配信された多量のニュース情報からリアルタイムで所望の情報を高い精度で得ることはできない。
【００１７】
また、特許文献２に記載のものは、探索したトピックス情報と、このトピックス情報に関連する論評情報を一括してユーザーに配信するものであり、ウェブ上に配信された多量のニュース情報から所望の情報を高い精度で得ることはできない。
【００１８】
このように、従来、クライアントである企業等が各種のメディアから所望する情報を的確に取得してリアルタイムに告知、配信する技術は提供されていない。そこで、本発明は、高い精度で所望の情報が配信されたことの告知をリアルタイムで送信し取得することができる公開情報の配信告知方法、サーバ装置、公開情報の配信告知システムを提供することを課題とする。
【課題を解決するための手段】
【００１９】
前記課題を解決する請求項１に記載の発明は、複数の情報メディアが配信する公開情報からクライアントが希望する特定の公開情報を取得して、前記クライアントに前記公開情報が配信されたことをリアルタイムで送信する公開情報の配信告知方法であって、前記クライアントが所望する公開情報を特定するための特定用情報を取得するステップと、複数の情報メディアから、前記公開情報に関する音声情報、文字情報、画像情報の少なくとも１つを含む配信情報を取得するステップと、前記取得した配信情報の音声情報、文字情報、画像情報を解析して当該配信情報についてのテキスト情報を生成するステップと、前記テキスト情報から前記特定用情報に基づいて前記クライアントが所望する公開情報のテキスト情報を抽出するステップと、所望する公開情報が配信された旨の告知を前記クライアントに送信するステップと、を備えることを特徴とする公開情報の配信告知方法である。
【００２０】
同じく請求項２に記載の発明は、請求項１に記載の公開情報の配信告知方法において、前記情報メディアが、テレビ放送、ラジオ放送、インターネット放送、インターネット配信動画、インターネットウェブサイト記事のうちの少なくとも１つを含むことを特徴とする。
【００２１】
同じく請求項３に記載の発明は、請求項１に記載の公開情報の配信告知方法において、前記テキスト情報の生成に際しては、蓄積された過去の公開情報と、蓄積された過去のテキスト情報とを教材として学習した最適なテキスト情報生成のための設定に基づいてテキスト情報の生成を行うことを特徴とする。
【００２２】
同じく請求項４に記載の発明は、請求項１に記載の公開情報の配信告知方法において、前記テキスト情報を要約するステップと、この要約又はテキスト情報を前記クライアントに送出するステップとを含み、テキスト情報を要約するに際しては、蓄積された過去のテキスト情報と、蓄積された過去の要約とを教材として学習した最適な要約生成のための設定を行うことを特徴とする。
【００２３】
同じく請求項５に記載の発明は、請求項１に記載の公開情報の配信告知方法において、配信された公開情報の重要度を判定するステップを備え、前記クライアントに前記重要度についての情報を含んだ告知を送信することを特徴とする。
【００２４】
同じく請求項６に記載の発明は、請求項１に記載の公開情報の配信告知方法において、抽出した公開情報についての情報を検索可能に格納しておくステップを備えることを特徴とする。
【００２５】
同じく請求項７に記載の発明は、複数の情報メディアが配信する公開情報からクライアントが希望する特定の公開情報を取得して、前記クライアントに前記公開情報が配信されたことをリアルタイムで送信するサーバ装置であって、前記クライアントが所望する公開情報を特定するための特定用情報を取得する手段と、複数の情報メディアから、前記公開情報に関する音声情報、文字情報、画像情報の少なくとも１つを取得する手段と、前記取得した配信情報の音声情報、文字情報、画像情報を解析して当該配信情報についてのテキスト情報を生成する手段と、前記テキスト情報から前記特定用情報に基づいて前記クライアントが所望する公開情報のテキスト情報を抽出する手段と、所望する公開情報が配信されたことを前記クライアントに送信する手段と、を備えることを特徴とするサーバ装置である。
【００２６】
同じく請求項８に記載の発明は、請求項７に記載のサーバ装置において、テレビ放送、ラジオ放送、インターネット放送、インターネット配信動画、インターネットウェブサイト記事のうちの少なくとも１つの情報を取得する手段を備えることを特徴とする。
【００２７】
同じく請求項９に記載の発明は、請求項７に記載のサーバ装置において、蓄積された過去の公開情報と、蓄積された過去のテキスト情報とを教材として学習した最適なテキスト情報生成のための設定を行う手段を備えることを特徴とする。
【００２８】
同じく請求項１０に記載の発明は、請求項７に記載のサーバ装置において、前記テキスト情報を要約する手段と、この要約又は前記テキスト情報を前記クライアントに送出する手段とを含み、テキスト情報を要約するに際しては、蓄積された過去のテキスト情報と、蓄積された過去の要約とを教材として学習した最適な要約生成のための設定を行うことを特徴とする。
【００２９】
同じく請求項１１に記載の発明は、請求項７に記載のサーバ装置において、配信された公開情報の重要度を判定する手段を備え、前記クライアントに前記重要度についての情報を含んだ告知を送信することを特徴とする。
【００３０】
同じく請求項１２に記載の発明は、請求項７にサーバ装置において、抽出した公開情報についての情報を検索可能に格納しておく手段を備えることを特徴とする。
【００３１】
同じく請求項１３に記載の発明は、請求項５から請求項１０のいずれかに記載のサーバ装置と、このサーバ装置から所望する公開情報が配信された旨の告知、前記告知と前記テキスト情報、及び前記告知と前記要約、のいずれかを受信する端末装置とを備えることを特徴とする公開情報の配信告知システムである。
【００３２】
同じく請求項１４に記載の発明は、請求項５から請求項１０のいずれかに記載のサーバ装置と、このサーバ装置に特定用情報を送出する端末装置とを備えることを特徴とする公開情報の配信告知システムである。
【発明の効果】
【００３３】
本発明に係る公開情報の配信告知方法、サーバ装置、公開情報の配信告知システムによれば、テレビ、ラジオ、インターネット上のサイトを含む各種メディアから情報を指定に基づいて情報を抽出してクライアントに通知するので、クライアントは漏れがなく、高い精度の情報をいち早くリアルタイムに知得することができる。
【００３４】
即ち、請求項１に記載の公開情報の配信告知方法及び請求項７に記載のサーバ装置によれば、複数の情報メディアからクライアントが希望する特定の公開情報を取得して、前記クライアントに当該公開情報が配信された旨の告知をリアルタイムで告知するに際し、前記クライアントが所望する公開情報を特定するための特定用情報を取得し、複数の情報メディアから、公開情報に関する音声情報、文字情報、画像情報の少なくとも１つを取得し、公開情報の音声情報、文字情報、画像情報を解析して当該公開情報についてのテキスト情報を生成し、更にこのテキスト情報から特定用情報に基づいて前記クライアントが所望する公開情報を抽出して、所望する公開情報が配信されたことを前記クライアントに配信する。
【００３５】
よって、本発明によれば、各種メディアから特定用情報に基づいて抽出し、当該公開情報が配信されたことをクライアントに通知するので、クライアントは漏れがなく、高い精度で所望の公開情報が配信されたことをリアルタイムに知得することができる。
【００３６】
また、請求項２に記載の公開情報の配信告知方法及び請求項８に記載のサーバ装置によれば、前記情報メディアが、テレビ放送、ラジオ放送、インターネット放送、インターネット配信動画、インターネットウェブサイト記事の少なくとも１つを含むものであるので、世界中で配信されるニュースを遺漏なく取得し、クライアントが所望するニュースをクライアントにリアルタイムで告知できる。
【００３７】
また、請求項３に記載の公開情報の配信告知方法及び請求項９に記載のサーバ装置によれば、前記テキスト情報の生成に際しては、蓄積された過去のニュース情報と、蓄積された過去のテキスト情報とを教材として学習した最適なテキスト情報生成のための設定に基づいてテキスト情報の生成を行うので、高い精度でテキスト情報を生成でき、この生成の精度は使用することにより向上する。
【００３８】
また、請求項４に記載の公開情報の配信告知方法及び請求項１０に記載のサーバ装置によれば、テキスト情報を要約して、この要約又はテキスト情報をクライアントに送出するものであり、テキスト情報を要約するに際しては、蓄積された過去のテキスト情報と、蓄積された過去の要約とを教材として学習した最適な要約生成のための設定を行うので、高い精度で公開情報の要約を生成でき、この要約又はテキスト情報をクライアントに送信でき、更にこの生成の精度は使用することにより向上する。
【００３９】
また、請求項５に記載の公開情報の配信告知方法及び請求項１１に記載のサーバ装置によれば、配信された公開情報の重要度を判定して、クライアントに重要度についての情報を含んだ告知を送信するので、クライアントは、配信された公開情報の重要度を認識することができ、告知された情報を有効に利用できる。
【００４０】
また、請求項６に記載の公開情報の配信告知方法及び請求項１２に記載のサーバ装置によれば、抽出した公開情報についての情報を検索可能に格納しているので、必要な公開情報を時間的に遡って特定することや、関連する公開情報を特定することができる。
【００４１】
更に、請求項１３に記載の公開情報の配信告知システムによれば、端末装置はサーバ装置から所望する公開情報が配信された旨の告知、前記告知と前記テキスト情報、及び前記告知と前記要約、のいずれかを受信するので、クライアントはリアルタイムで自己の所望する公開情報が配信されたことや、この公開情報から生成されたテキスト情報、又は要約を受けることができる。
【００４２】
そして、請求項１４に記載の公開情報の配信告知システムによれば、端末装置からサーバ装置に特定用情報を送出するので、クライアントは自己が所望するニュース特定情報を必要に応じて自由に設定、変更することができる。
【図面の簡単な説明】
【００４３】
【図１】本発明の実施形態に係る公開情報の配信告知システム及びサーバ装置の構成を示すブロック図である。
【図２】同サーバ装置における情報テキスト化手段の構成と処理の概略を示す図である。
【図３】同サーバ装置における要約手段の構成と処理の概略を示す図である。
【図４】同サーバ装置のハードウエア構成を示すブロック図である。
【図５】同情報取得配信システムの動作を示すフローチャートである。
【発明を実施するための形態】
【００４４】
本発明を実施するための形態に係る公開情報の配信告知方法、サーバ装置、公開情報の配信告知システムについて説明する。
【００４５】
まず、本発明の実施形態に係る公開情報の配信告知システムの及びサーバ装置の概略構成について説明する。図１は本発明の実施形態に係る公開情報の配信告知システム及びサーバ装置の構成を示すブロック図である。本発明の実施形態に係る公開情報の配信告知システム１０は、情報メディア１００からサーバ装置２００が公開情報としてニュースを取得する。なお、公開情報はニュースだけではなく他の情報、例えばワイドショーその他の情報番組等を対象とする。
【００４６】
ここで、サーバ装置２００はサービス提供会社が管理し、端末装置４００は、サービス提供会社と契約しているクライアントが使用する。端末装置４００としては、携帯電話、スマートフォン、ウエアブル端末、パーソナルコンピュータを使用することができる。また、端末装置４００としては、工場の生産システムのロボット制御を行う装置であってもよく、この場合は配信された公開情報、ニュースの内容により生産量の調整を行う等の調整を自動的に行うことができる。更に、株式、為替相場、先物商品等の自動取り引きに適用することができる。
【００４７】
そして、クライアントが特定用情報で指定したニュース特定情報に合致する公開情報が配信された場合、これを検出し、クライアントの端末装置４００に所望の公開情報を取得した旨の通知（アラート）と公開情報のテキスト情報の要約を送信する。サーバ装置２００と端末装置４００とはインターネット２０で接続されている。なお、要約に代え、テキスト情報を送信することができる。
【００４８】
情報メディア１００としては、テレビ１１０、ラジオ１２０、インターネット上のウェブサイト１３０、その他のニュースソース１４０を含む。サーバ装置２００は、テレビ１１０からニュース番組、ワイドショーその他の番組の画像、音声、テロップ、ロゴマーク等からニュース情報を抽出して、テキスト化する。テレビ１１０は地上波デジタル放送、ＢＳ放送、ＣＳ放送、ケーブルテレビ、その他の各放送局を対象とすることができる。
【００４９】
また、サーバ装置２００は、ラジオ１２０のニュース番組、その他の番組の音声からニュース情報を抽出してテキスト化する。ラジオ１２０として、ＡＭ放送、ＦＭ放送の各局を対象とすることができる。ラジオからの音声の取得には、サイマル放送により放送されたものをアプリケーションソフトウエアで取得したものを対象とすることができる。
【００５０】
更に、サーバ装置２００は、ウェブサイト１３０、例えば新聞社、通信社、テレビ局、ラジオ局の各サイト、ニュースまとめサイト、YouTube（登録商標）、Instagram（登録商標）等の動画・画像投稿サイト、ＳＮＳサイトから文字、画像、音声からニュース情報を抽出してテキスト化する。
【００５１】
そして、サーバ装置２００は、他のニュースソース１４０として、官公庁のウェブサイト、公報情報等から文字、画像、音声からニュース情報を抽出してテキスト化する。
【００５２】
サーバ装置２００は、これらのテキスト化されたニュースを配信に適した情報量の要約を生成する。
【００５３】
そして、サーバ装置２００は、端末装置４００から特定用情報として取得したキーワード等に合致する公開情報を検出したとき、端末装置４００にその旨のアラート、及び要約テキストを送信する。なお、クライアントは、端末装置４００からは特定用情報をサーバ装置２００に送出して設定できる。
【００５４】
この際、取得した公開情報の重要度を判定して、この重要度に応じて優先的に配信したり、多くの回数を配信したり、更に優先度の値を付加してアラートや要約テキストを配信することができる。
【００５５】
また、サーバ装置２００は、抽出した情報をすべて検索可能にファイルした情報ファイルを格納している。この情報ファイルから過去の公開情報や、関連した公開情報を簡単に抽出して利用することができる。
【００５６】
以上のような機能を実現するため、サーバ装置２００は、以下の構成を備える。即ち、サーバ装置２００は、図１に示すように、公開情報取得手段２１０と、情報テキスト化手段２２０と、テキスト格納手段２３０と、情報抽出手段２４０と、要約手段２５０と、アラート生成手段２６０と、通信制御手段２７０と、特定用情報受領手段２８０と、特定用情報格納手段２９０と、情報取得格納手段３００と、重要度判定手段３１０と、抽出情報格納手段３２０とを備える。
【００５７】
情報メディア１００からの公開情報は、情報取得格納手段３００で取得され、格納される。情報取得格納手段３００には、テレビ情報取得格納手段３０１、ラジオ情報取得格納手段３０２、ウェブサイト情報取得格納手段３０３、その他情報取得格納手段３０４を備える。情報取得格納手段３００で取得された各メディアからの情報は、公開情報取得手段２１０で公開情報として抽出される。公開情報取得手段２１０の処理の遅延がある場合を考慮して、情報取得格納手段３００では、各メディアからの取得情報をレコーダに格納しておく。
【００５８】
テレビ情報取得格納手段３０１は地上波デジタル放送、ＢＳ放送、ＣＳ放送、ケーブル放送等を受信する受信装置と、取得した映像データを格納するレコーダ等を備える。例えば、テレビチューナとハードディスクレコーダを使用する。
【００５９】
ラジオ情報取得格納手段３０２は、ＡＭ放送、ＦＭ放送、短波放送等を受信する受信装置と、取得した音声データ等を格納するレコーダ等を備える。例えば、ラジオやラジオサイマル放送を受信する装置と音声レコーダを使用できる。
【００６０】
ウェブサイト情報取得格納手段３０３は、ウェブブラウザソフト、ウェブ巡回手段、ウェブ配信データを格納するレコーダを備える。
【００６１】
このウェブサイトの巡回は、予めニュースサイトと判断されるサイトを選定しておいたリストによる他、自動的にウェブサイトを巡回して新たな情報サイトを検出することにより行うことが。また、オペレーターによる判断によって行うことができる。
【００６２】
ここで抽出される情報サイトとしては、日本及び外国を対象とし、例えば大手新聞社、地方新聞社、ニュース通信会社、テレビ局、ラジオ局、ポータルサイト、ニュースまとめサイト等が挙げられる。これらのサイトは定期的に選定を見直すことが望ましい。
【００６３】
ウェブサイトの巡回は自動的に行われ、新規情報の収集は、新規であるとして記述されているものを取得する他、前回の巡回時の記録と比較して異なる内容のものを取得することができる。このとき、情報の収集に際しては、各情報サイトの構造に基づいて、漏れがないようにすべてのページを巡回する。
【００６４】
他情報取得格納手段３０４は、対象とするメディアから公開情報を取得する受信装置と、取得した公開情報を格納するレコーダとを備える。
【００６５】
公開情報取得手段２１０には、テレビ情報抽出手段２１１、ラジオ情報抽出手段２１２、ウェブサイト情報抽出手段２１３、その他情報抽出手段２１４を備える。
【００６６】
テレビ情報抽出手段２１１は、テレビチューナ機能を含む。テレビ情報抽出手段２１１は、放送されたテレビ番組から動画情報と、音声情報とを取得し、これらの情報から公開情報を抽出する。抽出は、画像、音声について行われる。テレビ情報抽出手段２１１は、既存の画像データと既存の認識結果に基づいて機械学習を行い、処理を最適化する。
【００６７】
画像からは、背景、人物、テロップの文字、ロゴマーク、ロゴマークの文字、フリップの文字が認識され、それぞれが何を表しているかがデータとして記録される。画像処理は、画像における画素濃度、色彩の変化点であるエッジを検出して、この検出した対象の画面上の位置（X,Y座標）、大きさ、記載事項が抽出される。この抽出した情報はどの放送局のどの番組でいつ配信されたかを含めて記録される。
【００６８】
また、顔を認識して人物の名前、所属、肩書き等を特定する。更に、テロップ、ロゴマーク、フリップについても、位置、大きさ、記載文字が認識される。
【００６９】
背景の画像についても、大きな火炎、事故、洪水の映像、噴火等の大災害や大事故に結び付く画像を抽出することが望ましい。
【００７０】
これらで抽出された、画像の位置や大きさ、種類は、後述する重要度判定手段３１０で公開情報の重要度を判定するために使用される。例えば、上側に大きく記載されたテロップに記載された情報、大写しにされた顔を伴う情報、災害に関連する情報は重要度が高いとされる。
【００７１】
音声情報については、背景音からの音声の切り出し、音声の発生源の特定がなされる。音声が人の声であれば画像抽出得られた人物と紐付けられる。また、これらの音声の長さ、大きさ等も認識される。これらで抽出された音声の長さや大きさは、後述する重要度判定手段３１０で公開情報の重要度を判定するために使用される。例えば、大きく、長い音声で伝えられた情報は重要度が高いとされる。
【００７２】
これら抽出されたデータは、抽出情報格納手段３２０にどの放送局でいつ配信されたかの情報を付加すると共に各情報で検索可能にファイル化されて蓄積していく。
【００７３】
ラジオ情報抽出手段２１２は、ラジオチューナ機能を含む。ラジオ情報抽出手段２１２には、放送されたラジオ番組から音声情報を取得する。このとき、すべての局の、すべての情報を取得する。
【００７４】
ラジオの音声情報については、背景音からの音声の切り出し、音声の発生源の特定（男性、女性、人物）がなされる。また、これらの音声の長さ、大きさ等も認識される。これらで抽出された音声の長さや大きさは、後述する重要度判定手段３１０で公開情報の重要度を判定するために使用される。例えば、繰り返し伝えられた情報、非日常的な災害である地震、津波に関する情報は重要度が高いとされる。
【００７５】
これら抽出されたデータは、抽出情報格納手段３２０にどの放送局でいつ配信されたかの情報を付加すると共に各情報で検索可能にファイル化されて蓄積していく。
【００７６】
ウェブサイト情報抽出手段２１３は、ウェブサイト情報取得格納手段３０３からの多数のウェブサイトから公開情報を抽出する。この例ではニュースに関するウェブサイト、ニュースまとめサイト、動画投稿サイト、ＳＮＳサイト、インターネット放送サイト、インターネット配信動画サイト、インターネットウェブサイト記事等のすべてのウェブサイトから公開情報を抽出する。
【００７７】
ウェブサイトの抽出は、テレビ放送についての抽出と同様の処理による。動画配信サイト、ＳＮＳサイトでは、ページビュー、いいねの回数、再生回数、コメント等も抽出の対象とすることができる。これらの情報は、重要度判定手段３１０で公開情報の重要度を判定するために使用される。また、抽出されたデータは、抽出情報格納手段３２０に検索可能にファイル化されて蓄積されていく。
【００７８】
他情報抽出手段２１４は、他情報取得格納手段３０４が取得した情報から公開情報を抽出する。官公庁や地方公共団体の災害情報、放送から災害等についての公開情報を抽出する。災害の地域、種類、規模、被害の状態が抽出される。これらの情報は、重要度判定手段３１０で公開情報の重要度を判定するために使用される。また、抽出されたデータは、抽出情報格納手段３２０に検索可能にファイル化されて蓄積されていく。
【００７９】
次に情報テキスト化手段２２０について説明する。図２は同サーバ装置における情報テキスト化手段の構成と処理の概略を示す図であり、（ａ）はブロック図、（ｂ）は処理の流れを示す図である。同図（ａ）に示すように、情報テキスト化手段２２０は、情報抽出部２２１、内容認識部２２２、テキスト化部２２３の他、テキスト化学習手段である機械学習部２２４、内容認識テキスト作成設定部２２５、比較評価部２２７を備える。また情報テキスト化手段２２０には、既存公開情報格納部５００が接続されている。
【００８０】
情報抽出部２２１は、テレビの公開情報から、音声、テロップ、画像を抽出する。音声であれば、ナレーション、会話等を抽出する。また、画像からテロップやフリップ、ロゴマーク等を抽出する。また、内容認識部２２２は、抽出した情報を認識して、必要な情報をテキスト化部２２３に送出する。テキスト化部２２３は情報をテキスト化して出力する。これらの処理の手法は公知である。
【００８１】
情報テキスト化手段２２０は既存公開情報格納部５００が格納する既存のデータと既存のテキストに基づいて機械学習を行い、内容認識部２２２及びテキスト化部２２３を最適化する。既存公開情報格納部５００には、過去にテキストを作成したときに使用した多数のデータを格納した既存データ格納部５１０と、この既存データの内容から作成したテキストを格納した既存テキスト格納部５２０をと備える。これらのデータ及びテキストは機械学習の教材となる。
【００８２】
また、情報テキスト化手段２２０には、機械学習を行うときと、新規のデータからテキストを作成するときにデータ出力の切り換えを行う切換部２２８、２２９を備える。
【００８３】
内容認識テキスト作成設定部２２５は、情報抽出部２２１の発話情報の抽出処理の設定と、内容認識部２２２の発話内容認識処理の設定と、テキスト化部２２３のテキスト化処理の設定とが格納されている。情報抽出部２２１、内容認識部２２２及びテキスト化部２２３は内容認識テキスト作成設定部２２５の設定した条件、パラメータに従って情報抽出と、内容の認識と、テキスト化とを行う。
【００８４】
比較評価部２２７は、比較部２２７Ａと評価部２２７Ｂとを備える。比較部２２７Ａは、既存データ格納部５１０からの既存データを受けてテキスト化部２２３が作成したテキストと、既存テキスト格納部５２０からの既存発話テキストとを比較する。評価部２２７Ｂは比較部２２７Ａの比較結果に基づいて評価を行い、よく一致した場合は高い点数を与える。
【００８５】
機械学習部２２４は、評価部２２７Ｂからの評価を受け、内容認識テキスト作成設定部２２５の設定状態を変更する。この処理を同一のビデオデータについて繰り返し行い、評価部２２７Ｂの評価値をできるだけ高いものとする。この処理は複数のデータについて繰り返し行うことができる。
【００８６】
このような機械学習を行うことにより、内容認識部２２２及びテキスト化部２２３の能力が向上する。所定の機械学習を終了した後、情報テキスト化手段２２０は新規データを処理して、最適なテキストを出力できる状態となる。
【００８７】
情報テキスト化手段２２０の処理について説明する。図２（ｂ）に示すように、まず内容認識テキスト作成設定部２２５に認識及びテキスト化の特徴量を設定する（ステップＳＡ１）。この設定は機械学習部２２４の学習結果により行う。
【００８８】
次いで、情報抽出部２２１が、設定された特徴量に基づいて必要なデータを大量の信号の中から抽出する（ステップＳＡ２）。
【００８９】
更に、内容認識部２２２が、設定された特徴量に基づいて抽出したデータを解析する（ステップＳＡ３）。
【００９０】
そして、テキスト化部２２３が、設定された特徴量に基づいてデータをテキスト化してテキストを出力し（ステップＳＡ４）、テキスト格納手段２３０に格納する。
【００９１】
次に、重要度判定手段３１０について説明する。重要度判定手段３１０は、公開情報取得手段２１０からの情報を受け、各公開情報に重み付けを行う。重みが大きいほど配信のプライオリティが高い。
【００９２】
重要度は、上述のように、さまざまな事象を要素として決定できる。例えばメディアについて見ると、ラジオは音声だけで配信されるため、映像を伴うテレビに比して速報性がある。このため、情報の種類、例えば、交通情報、事故情報についてはいち早く伝えられプライオリティを高く設定する。このため、ラジオで配信される公開情報は大きな重み付けをすることができる。
【００９３】
また、同一事象に対する配信記事の総数、配信記事の文字数、時間の長さで重み付けをすることができる。記事の数が多いほど、文字数が多ほど、時間が長いほど大きな重み付けがされる。
【００９４】
更に、テロップ、説明文字、フリップの位置、文字の大きさにより、重み付けをすることができる。配置位置が上側であるほど、文字が大きいほど大きな重みを付けがされる。
【００９５】
また、画像の種類により、重み付けをすることができる。大きな災害や大きな事故に直結する画像が表示された場合大きな重み付けがされる。
【００９６】
公開情報は付けられた重みが大きいほど、迅速に、注意を引くべくアラートに反映される。優先して配信される場合や、アラートに重みに応じたマーク、番号を付することができる。
【００９７】
抽出情報格納手段３２０には、公開情報取得手段２１０で取得したすべて公開情報が、いつどのチャネルで、どの番組で配信されたかの情報を含めて、検索可能にファイル化して格納されている。
【００９８】
例えば、端末装置４００から特定の期間、チャネル、キーワード等を指定して、端末装置４００に特定の公開情報を配信することができる。なお、各重み付けの要素の選択、順序等はクライアントが端末装置４００から指定、変更できる。
【００９９】
情報抽出手段２４０は、テキスト格納手段２３０に格納された公開情報のテキスト情報を特定用情報格納手段２９０が格納した特定用情報で検索して、該当するテキスト情報を抽出して要約手段２５０に送出する。このとき、特定用情報を設定したクライアントの情報をアラート生成手段２６０及び通信制御手段２７０に送出する。
【０１００】
要約手段２５０は、情報抽出手段２４０からのテキスト情報を所定の文字数、例えば２４０字に要約する。
【０１０１】
以下、要約手段２５０について説明する。図３は同サーバ装置における要約手段の構成と処理の概略を示す図である。要約手段２５０は、図３（ａ）に示すように、要約テキスト作成部２５１、要約作成設定部２５２、要約設定学習手段である機械学習部２５３、比較評価部２５４を備える。要約手段２５０には、既存データ格納部６５０が接続されている。
【０１０２】
要約手段２５０は既存データ格納部６５０が格納する統合テキストと要約テキストに基づいて機械学習を行い、要約テキスト作成部２５１の動作を最適化する。既存データ格納部６５０には、過去に要約テキストを作成したときに使用したテキストデータを格納した既存テキスト格納部６６０と、このテキストから作成した要約を格納した過去の要約作成結果である既存要約格納部６７０とを備える。これらの統合テキスト及び要約テキストは機械学習の教材となる。
【０１０３】
また、要約手段２５０には、機械学習を行うときと、新規の統合テキストから新たな要約テキストを作成するときにデータ出力の切り換えを行う切換部２５５、２５６を備える。
【０１０４】
要約作成設定部２５２には、要約テキスト作成部２５１の要約処理の設定が格納されている。要約テキスト作成部２５１は要約作成設定部２５２の設定した条件、パラメータに従ってテキスト要約処理を行う。
【０１０５】
比較評価部２５４は、比較部２５４Ａと評価部２５４Ｂとを備える。比較部２５４Ａは、既存統合テキスト格納部６１０からの既存統合テキストを受けて要約テキスト作成部２５１が作成した要約テキストと、既存要約テキスト格納部６２０からの要約テキストとを比較する。評価部２５４Ｂは比較部２５４Ａの比較結果に基づいて評価を行い、よく一致した場合は高い点数を与える。
【０１０６】
機械学習部２５３は、評価部２５４Ｂからの評価を受け、要約作成設定部２５２の設定状態を変更する。この処理を同一の各種テキストデータについて繰り返し行い、評価部２５４Ｂの評価値をできるだけ高いものとする。この処理は複数の統合テキストデータについて繰り返し行うことができる。
【０１０７】
このような機械学習を行うことにより、要約テキスト作成部２５１の能力が向上する。所定の機械学習を終了した後、要約手段２５０は新規データを処理して、最適な要約テキストを出力できる状態となる。
【０１０８】
要約手段２５０の処理について説明する。図３（ｂ）に示すように、まず要約テキスト作成部２５１に要約化の特徴量を設定する（ステップＳＢ１）。この設定は機械学習部２５３の学習結果により行う。
【０１０９】
次いで、要約テキスト作成部２５１は、情報抽出手段２４０が抽出したテキスト情報を取得する（ステップＳＢ２）。
【０１１０】
そして、要約テキスト作成部２５１が、設定された特徴量に基づいて要約を作成し（ステップＳＢ３）、アラート生成手段２６０及びアラート生成手段２６０に送出する。
【０１１１】
アラート生成手段２６０は、情報抽出手段２４０から送出されたクライアントに対して公開情報が配信された旨の告知（アラート）を生成し、通信制御手段２７０に送出する。このとき、通信制御手段２７０には、このアラートに対応する要約が要約手段２５０から送出され、通信制御手段２７０に送出される。
【０１１２】
通信制御手段２７０は、アラート生成手段２６０からのアラートを受けると、該当するクライアントの端末装置４００にアラートと、要約を送出する。
【０１１３】
端末装置４００は、このアラートと要約を受取り、告知音を発生すると共に画面に告知と要約を表示する。なお、端末装置４００には、告知だけを通知すること、告知とテキスト情報を表示することができる。この告知内容の選択は、端末装置４００からサーバ装置２００に対して行うことができるものとする。
【０１１４】
端末装置４００からの特定用情報の設定は、クライアントが端末装置４００から行う。端末装置４００を、インターネット２０を介してサーバ装置２００の通信制御手段２７０経由で特定用情報受領手段２８０に接続する。端末装置４００から特定用情報を送信することで特定用情報受領手段２８０は特定用情報を受領する。特定用情報としては、例えば企業名、個人名、団体名、事象、事件等を特定するキーワード、期間、地域を特定する情報とすることができる。
【０１１５】
特定用情報格納手段２９０は、設定された特定用情報と、設定したクライアントの識別情報を格納する。
【０１１６】
本実施形態に係るサーバ装置２００は、コンピュータ７００として構成されている。図４は同情報取得サーバのハードウエア構成を示すブロック図である。サーバ装置２００を構成するコンピュータ７００は、ＣＰＵ（Ｃｅｎｔｒａｌ  Ｐｒｏｃｅｓｓｉｎｇ  Ｕｎｉｔ）７１０、ＲＡＭ（Ｒａｎｄｏｍ  Ａｃｃｅｓｓ  Ｍｅｍｏｒｙ）７２０、ＲＯＭ（Ｒｅａｄ  Ｏｎｌｙ  Ｍｅｍｏｒｙ）７３０、ハードディスクドライブ（ｈａｒｄ  Ｄｉｓｃ  Ｄｒｉｖｅ）７４０、インターネットに接続するための通信制御手段７５０、キーボード、マウス等の入力手段７６０、プリンタ、モニター等の出力手段７７０を接続して構成される。なお、入力手段７６０、出力手段７７０は、インターフェース７６１、７７１を介して接続されている。なお、コンピュータ７００には、ＧＰＵ（Ｇｒａｐｈｉｃｓ  Ｐｒｏｃｅｓｓｉｎｇ  Ｕｎｉｔ）７８0、ＴＰＵ（Ｔｅｎｓｏｒ  Ｐｒｏｃｅｓｓｉｎｇ  Ｕｎｉｔ）７９０を使用することができ、これにより画像処理やテンソル計算の処理速度が向上する。
【０１１７】
サーバ装置２００は、本発明の実施形態に係る情報取得方法を実現するプログラムを、ＲＡＭ７２０をワークエリアとしてＣＰＵ７１０で実行することにより上記の各機能を実現する。
【０１１８】
端末装置４００は、携帯電話、スマートフォン、タブレット型端末、ウェアラブル端末、その他のコンピュータとして構成されている。端末装置４００には、ウェブブラウザや専用のアプリケーションをインストールして、サーバ装置２００からのアラート及び要約、テキスト情報の受信機能、及び特定用情報の送出機能を実現する。なお、端末装置４００を受信専用、送信専用とすることができる。
【０１１９】
端末装置４００でアラートや要約を受信したクライアントは、サーバ装置２００に接続してサーバ装置２００から所望の公開情報を取得するものとできる。このため、サーバ装置２００に公開情報のデータベースを備えることができる。
【０１２０】
以下、本発明の実施形態に係る公開情報の配信告知システム１０における処理の流れについて説明する。図５は同情報取得配信システムの動作を示すフローチャートである。サーバ装置２００は以下の工程に従って処理を行う。まず、サーバ装置２００は、特定用情報受領手段２８０により、クライアントが端末装置４００から入力したニュース特定情報をインターネット２０、通信制御手段２７０を介して取得し（ステップＳ１）、特定用情報格納手段２９０に格納する（ステップＳ２）。
【０１２１】
次いで、サーバ装置２００は、公開情報取得手段２１０により、情報メディア１００からニュースを取得する（ステップＳ３）。そして、サーバ装置２００は、取得したニュースを情報テキスト化手段２２０でテキスト化し、テキスト格納手段２３０に格納する（ステップＳ４）。同時に、重要度判定手段３１０で公開情報の重要度を判定する（ステップＳ５）。更に、抽出した公開情報を抽出情報格納手段３２０に格納する。
【０１２２】
次いで、サーバ装置２００は、情報抽出手段２４０で特定用情報格納手段２９０に格納された特定用情報に基づいて検索して、特定用情報に適合する公開情報を抽出する（ステップＳ７）。
【０１２３】
そして、サーバ装置２００は、要約手段２５０でヒットしたニュースを要約し（ステップＳ８）、アラート生成手段２６０でアラートを生成し、これに重み付けに基づく重要度を加味し（ステップＳ９）、通信制御手段２７０を介してクライアントの端末装置４００にアラートとニュース要約を送信する（ステップＳ１０、Ｓ１１）。
【０１２４】
以上のように、本実施形態に係る公開情報の配信告知方法、サーバ装置、公開情報の配信告知システムによれば、テレビ、ラジオ、インターネット上のサイトを含む各種メディアから情報を指定に基づいて情報を抽出してクライアントに通知するので、クライアントは漏れがなく、高い精度の情報を迅速にリアルタイムに知得することができる。
【０１２５】
なお、情報メディアとしては、特定のテレビ局、ラジオ局等、特定のウェブサイト等を選択することができる。また、サーバ装置２００からの送信時刻を定期的なものとする他、昼間に限定することができる。
【産業上の利用可能性】
【０１２６】
本発明に係る公開情報の配信告知方法、サーバ装置、公開情報の配信告知システムは、企業、各種団体、個人等の要望に応えて、配信された各種ニュース中に所望のニュースがあった場合、アラートと要約を配信するものであり、産業上の利用可能性を有する。
【符号の説明】
【０１２７】
１０：配信告知システム
２０：インターネット
１００：情報メディア
１１０：テレビ
１２０：ラジオ
１３０：ウェブサイト
１４０：ニュースソース
２００：サーバ装置
２１０：公開情報取得手段
２１１：テレビ情報抽出手段
２１２：ラジオ情報抽出手段
２１３：ウェブサイト情報抽出手段
２１４：その他情報抽出手段
２２０：情報テキスト化手段
２２１：情報抽出部
２２２：内容認識部
２２３：テキスト化部
２２４：機械学習部
２２５：内容認識テキスト作成設定部
２２７：比較評価部
２２７Ａ：比較部
２２７Ｂ：評価部
２２８：切換部
２２９：切換部
２３０：テキスト格納手段
２４０：情報抽出手段
２５０：要約手段
２５１：要約テキスト作成部
２５２：要約作成設定部
２５３：機械学習部
２５４：比較評価部
２５４Ａ：比較部
２５４Ｂ：評価部
２５５：切換部
２５６：切換部
２６０：アラート生成手段
２７０：通信制御手段
２８０：特定用情報受領手段
２９０：特定用情報格納手段
３００  情報取得格納手段
３０１：テレビ情報取得格納手段
３０２：ラジオ情報取得格納手段
３０３：ウェブサイト情報取得格納手段
３０４：他情報取得格納手段
３１０：重要度判定手段
３２０：抽出情報格納手段
４００：端末装置
５００：既存公開情報データ格納部
５１０：既存データ格納部
５２０：既存テキスト格納部
６１０：既存統合テキスト格納部
６２０：既存要約テキスト格納部
６５０：既存データ格納部
６６０：既存テキスト格納部
６７０：既存要約格納部
７００：コンピュータ
７１０：ＣＰＵ
７２０：ＲＡＭ
７５０：通信制御手段
７６０：入力手段
７６１：インターフェース
７７０：出力手段
７７１：インターフェース
７８０：ＧＰＵ
７９０：ＴＰＵ
【図１】
2020106988.tif 000003
【図２】
2020106988.tif 000004
【図３】
2020106988.tif 000005
【図４】
2020106988.tif 000006
【図５】
2020106988.tif 000007